(57)【特許請求の範囲】
【請求項１】
上面が開口するとともに、液体不透過性素材により構成された外容器と、この外容器の内側に配置され上面が開口するとともに、液体薬剤を吸い上げる吸液性素材により構成された内容器とからなる容器本体と、前記内容器の開口部端部に当接し該内容器の開口部を覆った状態で設置され、前記容器本体内に貯留されて前記内容器に吸い上げられた液体薬剤を吸い上げる揮散部材と、前記外容器の開口部を閉塞するとともに、開口部から剥離可能なシールフィルムとから構成したことを特徴とする液体薬剤揮散容器。
【請求項２】
容器本体の開口部に揮散部材載置部を形成したことを特徴とする請求項１項記載の液体薬剤揮散容器。
【請求項３】
揮散部材載置部は容器本体に形成された段部であることを特徴とする請求項２項記載の液体薬剤揮散容器。
【請求項４】
揮散部材載置部は容器本体に形成された突起であることを特徴とする請求項２項記載の液体薬剤揮散容器。
【請求項５】
揮散部材載置部の対向する位置にはずれ止めを設けたことを特徴とする請求項２、３、４項記載の液体薬剤揮散容器。
【発明の詳細な説明】
【０００１】
【発明の属する技術分野】
本発明は液体薬剤揮散容器に関し、特に、開封するだけで揮散を開始して使用を開始することのできる液体薬剤揮散容器に関する。
【０００２】
【従来技術およびその問題点】
一般に、液体薬剤を収納させて揮散させるようになっている液体薬剤揮散容器にあっては、液体薬剤が貯留されている容器本体、中栓、吸い上げ体、キャップ、受け皿セット、揮散体、カバー等から構成されている。
【０００３】
そして、使い始めるときにはカバー、キャップ等を外し、吸い上げ体と揮散体が接触するようにした後、再びカバー等をセットし直して組み立てるようになっており、組立てから揮散を開始するようになっている。
【０００４】
したがって、使用を開始するにはセットし直したりするので揮散を開始するまで非常に手間がかかるという問題を有していた。
【０００５】
また、容器本体を繰り返し使用する詰め替え型のものもあるが、詰め替え型のものは詰め替え時に容器本体、揮散体をカバーや受け皿等から外して新しいものに代える等するので、やはり揮散を開始するのに非常に手間がかかるという問題を有している。
【０００６】
この発明の目的は、部品点数を少なくして使用に簡便をはかるとともに、製造の簡易化を図り、製造コストを低くすることができる液体薬剤揮散容器を提供する。
【０００７】
この発明の他の目的は、部品点数を少なくして使用の簡便を図ると共に、製造コストも低くすることができ、さらに、使用を開始するときも非常に簡単に行うことができる液体薬剤の揮散装置を提供することにある。
【０００８】
【問題を解決するための手段】
上記の問題点を解決するためにこの発明は、上面が開口するとともに、液体不透過性素材により構成された外容器と、この外容器の内側に配置され上面が開口するとともに、液体薬剤を吸い上げる吸液性素材により構成された内容器とからなる容器本体と、前記内容器の開口部端部に当接し該内容器の開口部を覆った状態で設置され、前記容器本体内に貯留されて前記内容器に吸い上げられた液体薬剤を吸い上げる揮散部材と、前記外容器の開口部を閉塞するとともに、開口部から剥離可能なシールフィルムとから構成したことを特徴としている。
【０００９】
また、容器本体の開口部に揮散部材載置部を形成したことを特徴としており、この揮散部材載置部は容器本体に形成された段部であっても良く、また、揮散部材載置部は容器本体に形成された突起であっても良い。
【００１０】
また、揮散部材載置部の対向する位置にはずれ止めを設けたことを特徴としている。
【００１１】
【作用】
上記手段を採用したことにより本発明は、容器本体の開口部を閉塞するために設けられたシールフィルムを剥がすと、吸液性素材により構成された内容器の器開口部端部に当接している揮散部材には、既に内容器から液体薬剤が吸い上げられているので直ちに揮散を開始する。
【００１２】
【発明の実施の形態】
以下、図面に示すこの発明の形態について説明する。
図１乃至図２はこの発明による液体薬剤揮散容器の第１の実施の形態が示されている。
【００１３】
この発明による液体薬剤揮散容器１の第１の実施の形態にあっては、容器本体２は外容器３と内容器４とで構成されている。
【００１４】
外容器３は内部に収納される液体薬剤９に対し不透過な素材により上面が開口した形状に形成されている。素材としては、金属、ガラス、陶器、及びこれらの内面に樹脂コートしたもの、プラスチック等を用いることができる。好ましい素材としてはＰＰ，ＰＥＴ，ＮＹ、及びこれらを基本とし、各種材料を積層したもの等のプラスチックシートである。
【００１５】
内容器４は外容器３の内部に挿入され内部に収納した液体薬剤９を吸い上げるものであり、織布、不織布、スポンジ体、上等特に限定されるものではない。好ましくは、パルプ、レーヨン，ＰＥ，ＰＰ，等により構成された織布、不織布である。
【００１６】
これら内容器４と外容器３は接着剤等により全面もしくは部分的に接着されていても良いが、特に接着の必要がない場合は単に内容器４と外容器３を重ね合わせるだけでも良い。
【００１７】
また、前記開口部を閉塞し得るシールフィルム６はシール材７とバリヤー材８とで構成されている。さらにシールフィルム６の下面には揮散部材５が設けられている。
【００１８】
そして液体薬剤９が貯留される容器本体２の開口部周縁に位置する内容器４と揮散部材５とは熱シールにより一体にされるこの場合は内容器４と濾紙の接触部全面を熱シールするのではなく、内容器４から吸い上げられる薬剤が揮散部材５に伝達するように、周縁部のみ熱シールする。
【００１９】
前記揮散部材５は液体薬剤９を吸収し揮散するものであれば特に限定されないが、例えば多孔性樹脂、焼結体、素焼き板、濾紙、不織布等をあげることができる。
【００２０】
前記容器本体２の開口した上面はシールフィルム６によってシールされており、このシールフィルム６は一般に下面のシール材７と上面のバリヤー材８とから構成されているが、価格、経済面で問題なければ３層以上にすることもいっこうにかまわない。
【００２１】
前記シール材７は前記揮散部材５とシールできるものを選択すれば良く、ＰＥ，ＰＰ，ＣＯ−ＰＥＴ，ＣＰＰ等をあげることができる。
【００２２】
前記バリヤー材８はＰＥＴ，ＮＹ，Ａｌ等からなり、前記シール材７と略同じ大きさとなっている。
【００２３】
上記の様に構成した前記のものの作用について説明する。
まず、容器本体２内部に揮散性の液体薬剤９、例えば液体芳香剤、液体消臭剤、液体防虫剤、液体殺虫剤、液体殺菌剤等の液体薬剤を貯留する。そして次に容器本体２の開口部周縁部に接触した状態で揮散部材５を位置する。次に揮散部材５を覆うようにシールフィルム６を位置する。
【００２４】
そして既述のように内容器４と揮散部材５が接触を残して揮散部材５及びシールフィルム６の周縁部のみを熱シールする。
【００２５】
このような状態で輸送、陳列される。そして使用時にはシールフィルム６をその一部を持って引っ張って剥がして揮散部材５を大気に解放する。これにより揮散部材５は内容器４を介して貯留されている液体薬剤９が達しているので直ちに揮散を開始する。
【００２６】
また、前記のように構成した場合、内容器４により吸い上げられた液体薬剤９は揮散部材５に伝達するが、揮散部材５の周縁は熱シールにより樹脂化しているため、輸送時、陳列時には揮散部材５の端部より液体薬剤９が揮散する事はない。また、部品点数が少ないので製造コストを低くすることができる。
【００２７】
また、使用を開始するときは、前記シールフィルム６を取り去るだけで、容器本体２の開口部は揮散部材５で閉塞された状態になるので、容器反対の内部に貯留した液体薬剤９は内容器４を伝達し揮散部材５から揮散するものである。
【００２８】
第３図乃至第４図には本発明による液体薬剤揮散容器の第二の実施の形態が示されている。
【００２９】
第３図乃至第４図に示す液体薬剤揮散容器において前記実施の形態と同一の部材には同一の番号を付して説明は省略する。
【００３０】
この形態における液体薬剤揮散容器１も容器本体２は外容器３と内容器４により構成されている。
【００３１】
外容器３の上面の開口部には段部１０が形成され、この段部１０の外側には縁部が環状に形成されている。そして、段部１０の上部には揮散部材５をおさえる突起１１が形成されている。この段部１０及び突起１１は容器本体２の開口部に沿って環状に形成しても良いが揮散部材５が支持できるよう部分的に形成しても良い。
【００３２】
内容器４は上面が開口しており、外容器３内に挿入可能な形状を有しており開口部の縁部が外容器３の段部１０には達するが外容器３の縁部までは達しない様に形成してある。
【００３３】
また、周縁部が前記段部１０に接触し支持された状態で揮散部材５が設けられている。
【００３４】
さらに、前記容器本体２の開口した上面はシールフィルム６によって閉塞されている。
【００３５】
上記のように構成したものの作用について説明する。
【００３６】
まず、容器本体２内部に揮散性の液体薬剤９、例えば液体芳香剤、液体消臭剤、液体防虫剤、液体殺虫剤、液体殺菌剤等の液体薬剤を貯留する。そして次に容器本体２の段部１０に内容器４に接した状態で揮散部材５を位置する。このとき外容器３の突起１１は揮散部材５が容易にはずれないようにおさえる役割を果たす。そして外容器３の縁部ににシールフィルム６を位置し熱シールする。
【００３７】
このような状態で輸送、陳列される。そして使用時にはシールフィルム６をその一部を持って引っ張って剥がして揮散部材５を大気に解放する。これにより揮散部材５は内容器４を介して貯留されている液体薬剤９が達しているので直ちに揮散を開始する。
【００３８】
また、前記のように構成した場合、内容器４は外容器３の縁部にまで達しておらずシールフィルム６の下面を形成しているシール材７と外容器３の縁部で熱シールされているため、輸送時、陳列時には揮散部材５の端部より液体薬剤９が揮散する事はない。また、部品点数が少ないので製造コストを低くすることができる。
【００３９】
また、使用を開始するときは、前記シールフィルム６を取り去るだけで、容器本体２の開口部は揮散部材５で閉塞された状態になるので、容器反対の内部に貯留した液体薬剤９は内容器４を伝達し揮散部材５から揮散するものである。
【００４０】
第５図乃至第６図には本発明による液体薬剤揮散容器の第３の実施の形態が示されている。
【００４１】
第５図乃至第６図に示す液体薬剤揮散容器において前記実施の形態と同一の部材には同一の番号を付して説明は省略する。
【００４２】
この形態における液体薬剤揮散容器１も容器本体２は外容器３と内容器４により構成されている。
【００４３】
外容器３の上面の開口部付近には第一の突起１２が形成されており、その第一の突起１２の下部には間隔を開けて第二の突起１３が設けられている。この第一の突起１２及び第二の突起１３は容器本体２の開口部に沿って環状に形成しても良いが揮散部材５が支持できるよう部分的に形成しても良い。
【００４４】
内容器４は上面が開口しており、外容器３内に挿入可能な形状を有しており開口部の縁部が外容器３の段部１０には達するが外容器３の縁部までは達しない様に形成してある。内容器４の開口部付近には前記外容器３の第二の突起１３に合致する凹部１４が形成されている。
【００４５】
また、周縁部が前記第二の突起１３に支持された状態で揮散部材５が設けられている。
【００４６】
さらに、前記容器本体２の開口した上面はシールフィルム６によって閉塞されている。
【００４７】
上記のように構成したものの作用について説明する。
まず、容器本体２内部に揮散性の液体薬剤９、例えば液体芳香剤、液体消臭剤、液体防虫剤、液体殺虫剤、液体殺菌剤等の液体薬剤を貯留する。そして次に容器本体２の第二の突起１３に周縁部が内容器４に接した状態で揮散部材５を位置する。このとき外容器３の第一の突起１２は揮散部材５が容易にはずれないようにおさえる役割を果たす。
【００４８】
そして外容器３の縁部ににシールフィルム６を位置し熱シールする。
このような状態で輸送、陳列される。そして使用時にはシールフィルム６をその一部を持って引っ張って剥がして揮散部材５を大気に解放する。これにより揮散部材５は内容器４を介して貯留されている液体薬剤９が達しているので直ちに揮散を開始する。
【００４９】
また、前記のように構成した場合、内容器４は外容器３の縁部にまで達しておらずシールフィルム６の下面を形成しているシール材７と外容器３の縁部で熱シールされているため、輸送時、陳列時には揮散部材５の端部より液体薬剤９が揮散する事はない。また、部品点数が少ないので製造コストを低くすることができる。
【００５０】
また、使用を開始するときは、前記シールフィルム６を取り去るだけで、容器本体２の開口部は揮散部材５で閉塞された状態になるので、容器反対の内部に貯留した液体薬剤９は内容器４を伝達し揮散部材５から揮散するものである。
【００５１】
なお、前記各実施の形態においては容器本体２内部に揮散性の液体薬剤９、例えば液体芳香剤、液体消臭剤、液体防虫剤、液体殺虫剤、液体殺菌剤、液体忌避剤等の液体薬剤を貯留した場合について説明したが、例えば、容器本体２の内部に単に水を入れて水を蒸発することにより、この容器本体２を食器棚や陳列棚に配置して湿度の調整を図る「調湿剤容器」としても良いものである。
【００５２】
また、前記各実施の形態においては内容器４の外形状は外容器３の内面形状と合致する形状について説明したが、必ずしも内容器４の外形状は外容器３の内面形状と合致する形状にする必要はなく、内容器４は外容器３内に収納されれば良い。
【００５３】
【発明の効果】
この発明は前記のように構成したことにより、使用開始時には従来の煩わしい操作の必要が無い。また、シールフィルムを剥がすと、吸液性素材により構成された内容器の器開口部端部に当接している揮散部材には、既に内容器から液体薬剤が吸い上げられているので、直ちに揮散を開始することができる。また、製造の簡易化及び使用の簡便化が図れると共に、構成部材を少なくできたことにより製造コストを低下させることができ、これによって使用者に安価な商品を提供することができる。
【００５４】
さらに、薬剤透過性フィルムの種類を選択することで容器本体に貯留した薬剤の揮散速度を調整することができ、薬剤透過性フィルムを選択することで使用場所に応じた揮散量とすることができる等の効果を有している。
【図面の簡単な説明】
【図１】本発明の液体薬剤揮散容器の第１の実施の形態を示す組立前の全体概略図。
【図２】本発明の液体薬剤揮散容器の第１の実施の形態を示す組立後の全体概略図。
【図３】本発明の液体薬剤揮散容器の第２の実施の形態を示す組立前の全体概略図。
【図４】本発明の液体薬剤揮散容器の第２の実施の形態を示す組立後の全体概略図。
【図５】本発明の液体薬剤揮散容器の第３の実施の形態を示す組立前の全体概略図。
【図６】本発明の液体薬剤揮散容器の第３の実施の形態を示す組立後の全体概略図。
【符号の説明】
１・・・・・・液体薬剤揮散容器
２・・・・・・容器本体
３・・・・・・外容器
４・・・・・・内容器
５・・・・・・揮散部材
６・・・・・・シールフィルム
７・・・・・・シール材
８・・・・・・バリヤー材
９・・・・・・液体薬剤
１０・・・・・・段部
１１・・・・・・突起
１２・・・・・・第一の突起
１３・・・・・・第二の突起
１４・・・・・・凹部
【図１】
0004017759.tif 000002
【図２】
0004017759.tif 000003
【図３】
0004017759.tif 000004
【図４】
0004017759.tif 000005
【図５】
0004017759.tif 000006
【図６】
0004017759.tif 000007